(57)【要約】      （修正有）【課題】身体各部への装着が可能な電気筋肉刺激ベルトを提供する。【解決手段】電気筋肉刺激ベルト１０は、８極ベルト２０及び７極ベルト３０からなる１５極ベルト１１と、これらのベルトに接続して使用される１極パッド１２と、コントローラ１３とを含んで構成される。この電気筋肉刺激ベルト１０を利用して、利用者は、１５極ベルト１１を腹部や腰部、臀部等のトリートメント部位に装着して、該トリートメント部位の筋肉をトレーニングすることができるとともに、８極ベルト２０を左脚に、７極ベルト３０を右脚に、それぞれ装着して、両脚の筋肉を同時にトレーニングすることができる。【選択図】図１
0003183459.tif 000002
【実用新案登録請求の範囲】
【請求項１】
利用者の身体内部の筋肉を電気刺激するための電気筋肉刺激ベルトであって、
前記利用者の身体に巻きつけて装着される１以上の第１ベルト本体と、
前記第１ベルト本体の前記利用者の身体との当接面に配設される複数の第１電極と、
前記第１ベルト本体に電気的に接続可能であり、前記利用者の身体に当接して固定可能な第１共通電極と、
各前記第１電極のうち少なくとも１つを第１対電極とし、該第１対電極及び前記第１共通電極間に低周波パルス電圧を供給する第１供給部と、
前記利用者の身体に巻きつけて装着される１以上の第２ベルト本体と、
前記第２ベルト本体の前記利用者の身体との当接面に配設される複数の第２電極と、
前記第２ベルト本体に電気的に接続可能であり、前記利用者の身体に当接して固定可能な第２共通電極と、
各前記第２電極のうち少なくとも１つを第２対電極とし、該第２対電極及び前記第２共通電極間に低周波パルス電圧を供給する第２供給部と、
を備え、
前記第１ベルト本体及び前記第２ベルト本体は、それぞれ、互いに係合するための係合手段を有する
ことを特徴とする電気筋肉刺激ベルト。
【請求項２】
前記第１ベルト本体及び前記第２ベルト本体において、
それぞれの前記係合手段は、互いに係合分離可能な１組のファスナからなることを特徴とする請求項１記載の電気筋肉刺激ベルト。
【請求項３】
前記第１ベルト本体及び前記第２ベルト本体において、
それぞれの前記係合手段は、互いに係合分離可能な１組のベロクロファスナからなることを特徴とする請求項１記載の電気筋肉刺激ベルト。
【請求項４】
前記第１ベルト本体において、
各前記第１対電極は、所定間隔で配列され、
前記第１供給部は、各前記第１対電極及び前記第１共通電極間に、順に低周波パルス電圧の供給を行うことを特徴とする請求項１記載の電気筋肉刺激ベルト。
【請求項５】
前記第２ベルト本体において、
各前記第２対電極は、所定間隔で配列され、
前記第１供給部は、各前記第１対電極及び前記第１共通電極間に、順に低周波パルス電圧の供給を行うことを特徴とする請求項１記載の電気筋肉刺激ベルト。
【請求項６】
前記係合手段により係合された前記第１ベルト本体及び前記第２ベルト本体は、前記利用者の身体に巻きつけて装着される第３ベルト本体を形成し、
各前記第１電極及び各前記第２電極のうち少なくとも１つを第３対電極とし、前記第１共通電極及び前記第２共通電極の何れかを第３共通電極として、各前記第３対電極及び前記第３共通電極間に低周波パルス電圧を供給する第３供給部と、
各前記第１電極及び各前記第２電極のうち、前記第３対電極を除く各電極の何れかを第４共通電極とし、前記第３対電極及び前記第４共通電極を除く各電極のうち少なくとも１つを第４対電極として、各前記第４対電極及び前記第４共通電極間に低周波パルス電圧を供給する第４供給部と、
を更に備えることを特徴とする請求項１記載の電気筋肉刺激ベルト。
【請求項７】
前記第３ベルト本体において、
各前記第３対電極は、所定間隔で配列され、
前記第３供給部は、各前記第３対電極及び前記第３共通電極間に、順に低周波パルス電圧の供給を行うことを特徴とする請求項６記載の電気筋肉刺激ベルト。
【請求項８】
前記第３ベルト本体において、
各前記第４対電極は、所定間隔で配列され、
前記第４供給部は、各前記第４対電極及び前記第４共通電極間に、順に低周波パルス電圧の供給を行うことを特徴とする請求項６記載の電気筋肉刺激ベルト。
【考案の詳細な説明】
【技術分野】
【０００１】
本考案は、利用者の身体に巻きつけて装着され、該利用者の身体内部の筋肉を電気的に刺激してトリートメントを行う電気筋肉刺激ベルトに関する。
【背景技術】
【０００２】
従来、複数の電極が配設され、身体深部の筋肉を電気的に刺激するための電気筋肉刺激ベルトが知られている（例えば、下記特許文献１参照）。この種の電気筋肉刺激ベルトには、ベルト本体の面上に複数の対電極が設けられるとともに、ベルト本体に１つの共通電極が接続される。そして、各対電極が設けられたベルト面を利用者の腹部や腰部、臀部等に当接させて巻きつけるとともに、共通電極を対電極に対向する位置で利用者の身体に当接して固定し、各対電極及び共通電極間に通電を行うことにより、身体深部の筋肉に電気的な刺激を与え、筋肉のトレーニングや痩身のためのトリートメントを行う。
【先行技術文献】
【特許文献】
【０００３】
【特許文献１】特開２０１０−１７２５２６２号公報
【考案の開示】
【考案が解決しようとする課題】
【０００４】
しかしながら、上記した従来の電気筋肉刺激ベルトでは、ベルト本体の長さが固定されているため、装着可能な部位が腹部や腰部、臀部等に限られてしまうという問題があった。また、例えば、脚のトリートメント用にベルト本体の長さを短くした場合、腹部等に装着することはできなくなるため、腹部及び両脚のトリートメントを行いたい場合、長短２種類の電気筋肉刺激ベルトが必要となるうえ、脚のトリートメント時には、片脚ずつしか装着できないという問題があった。
【課題を解決するための手段】
【０００５】
本考案は、以上の点を解決するために、次の構成を採用する。
【０００６】
〈構成〉
本考案に係る電気筋肉刺激ベルトは、利用者の身体内部の筋肉を電気刺激するために、利用者の身体に巻きつけて装着される１以上の第１ベルト本体と、第１ベルト本体の利用者の身体との当接面に配設される複数の第１電極と、第１ベルト本体に電気的に接続可能であり、利用者の身体に当接して固定可能な第１共通電極と、各第１電極のうち少なくとも１つを第１対電極とし、該第１対電極及び第１共通電極間に低周波パルス電圧を供給する第１供給部と、利用者の身体に巻きつけて装着される１以上の第２ベルト本体と、第２ベルト本体の利用者の身体との当接面に配設される複数の第２電極と、第２ベルト本体に電気的に接続可能であり、利用者の身体に当接して固定可能な第２共通電極と、各第２電極のうち少なくとも１つを第２対電極とし、該第２対電極及び第２共通電極間に低周波パルス電圧を供給する第２供給部とを備え、第１ベルト本体及び第２ベルト本体は、それぞれ、互いに係合するための係合手段を有することを特徴とする。
【考案の効果】
【０００７】
本考案の電気筋肉刺激ベルトによれば、２以上のベルト本体が係合手段により係合され一体化した状態で、腹部や腰部、臀部等に装着して通電可能であるとともに、各ベルト本体を分離した状態においても、それぞれを脚等に装着して通電可能となる。したがって、多数のベルトを所持せずとも、身体各部への装着や両足同時の装着も可能となるため、利便性が向上されるとともに、より効果的な筋肉のトレーニングが可能となる。
【図面の簡単な説明】
【０００８】
【図１】本考案の実施例に係る電気筋肉刺激ベルトの概略構成図である。
【図２】コントローラの外形を示す図である。
【図３】コントローラの接続例を示す部分構成図である。
【図４】８極ベルトの外形を示す図である。
【図５】７極ベルトの外形を示す図である。
【図６】８極ベルト及び７極ベルトの係合例を示す説明図である。
【図７】８極ベルトの接続例を示す概略構成図である。
【図８】８極ベルトの接続例を示す部分構成図（その１）である。
【図９】８極ベルトの接続例を示す部分構成図（その２）である。
【図１０】７極ベルトの接続例を示す概略構成図である。
【図１１】７極ベルトの接続例を示す部分構成図（その１）である。
【図１２】７極ベルトの接続例を示す部分構成図（その２）である。
【図１３】本考案の実施例に係る電気筋肉刺激ベルトのコントローラの機能構成を示すブロック図である。
【図１４】定常パルス信号の信号パターンを示す説明図である。
【図１５】ＥＭＳ信号の信号パターンを示す説明図である。
【図１６】５極回転モードの出力パターンを示す説明図である。
【図１７】サージモードの出力パターンを示す説明図である。
【図１８】電気筋肉刺激ベルトの装着例を示す図（その１）である。
【図１９】電気筋肉刺激ベルトの装着例を示す図（その２）である。
【図２０】電気筋肉刺激ベルトの装着例を示す図（その３）である。
【図２１】電気筋肉刺激ベルトの装着例を示す図（その４）である。
【図２２】電気筋肉刺激ベルトの装着例を示す図（その５）である。
【図２３】各導電部及び１極パッド間の通電を説明する図である。
【考案を実施するための形態】
【０００９】
以下、本考案の実施形態を、図を用いて詳細に説明する。本実施例では、８の電極を有する８極ベルトを第１ベルト本体とし、７の電極を有する７極ベルトを第２ベルト本体とする場合を例に、説明を行う。
【実施例】
【００１０】
図１は、本考案の実施例に係る電気筋肉刺激ベルトの概略構成図である。
本実施例の電気筋肉刺激ベルト１０は、図１に示されるように、８極ベルト２０及び７極ベルト３０からなる１５極ベルト１１と、これらのベルトに接続して使用される１極パッド１２と、コントローラ１３とを含んで構成される。
この電気筋肉刺激ベルト１０を利用して、利用者は、１５極ベルト１１を腹部や腰部、臀部等のトリートメント部位に装着して、該トリートメント部位の筋肉をトレーニングすることができるとともに、８極ベルト２０を左脚に、７極ベルト３０を右脚に、それぞれ装着して、両脚の筋肉を同時にトレーニングすることができる。
【００１１】
図２は、コントローラの外形を示す図であり、図３は、コントローラの接続例を示す部分構成図である。
図２（ａ）は、コントローラ１３の側面部１３ａを示す図であり、図２（ｂ）は、コントローラ１３の正面部１３ｂを示す図である。また、図２（ｃ）は、コントローラ１３の側面部１３ｃを示す図である。
また、図３（ａ）は、後述するＣＨ１の使用時におけるコントローラ１３の側面部１３ａを示す図であり、図３（ｂ）は、後述するＣＨ２の使用時に対応する図である。更に、図３（ｃ）は、ＣＨ１及びＣＨ２を同時に使用する場合に対応している。
【００１２】
コントローラ１３は、ＣＨ１Ａ（チャネル１Ａ）、ＣＨ１Ｂ（チャネル１Ｂ）及びＣＨ２Ａ（チャネル２Ａ）、ＣＨ２Ｂ（チャネル２Ｂ）からなる４つの出力系を有し、低周波パルス信号を出力して、８極ベルト２０、７極ベルト３０及び１極パッド１２への低周波パルス電圧の供給を行う。以下、ＣＨ１Ａ及びＣＨ１Ｂを総称してＣＨ１（チャネル１）と記し、ＣＨ２Ａ及びＣＨ２Ｂを総称してＣＨ２（チャネル２）と記すこととする。
【００１３】
コントローラ１３の側面部には、図２（ａ）に示されるように、４つの差込口４０−１ａ、４０−１ｂ、４０−２ａ、４０−２ｂがそれぞれ設けられている。
【００１４】
差込口４０−１ａは、ＣＨ１Ａの出力口である。本実施例では、差込口４０−１ａの近傍には、図３（ａ）に示されるように、識別用の赤色ラベル４１−１ａが貼付される。そして、差込口４０−１ａは、接続コード１８−１の片側端部に設けられた赤色のプラグ１８−１ｂを挿入して使用される。
【００１５】
差込口４０−１ｂは、ＣＨ１Ｂの出力口である。本実施例では、差込口４０−１ｂの近傍には、図３（ａ）に示されるように、識別用の黒色ラベル４１−１ｂが貼付される。そして、差込口４０−１ｂは、接像コード１８−２の片側端部に設けられた黒色のプラグ１８−２ｂを挿入して使用される。
【００１６】
差込口４０−２ａは、ＣＨ２Ａの出力口である。本実施例では、差込口４０−２ａの近傍には、図３（ｂ）に示されるように、識別用の緑色ラベル４１−２ａが貼付される。そして、差込口４０−２ａは、接続コード１９−１の片側端部に設けられた緑色のプラグ１９−１ｂを挿入して使用される。
【００１７】
差込口４０−２ｂは、ＣＨ２Ｂの出力口である。本実施例では、差込口４０−２ｂの近傍には、図３（ｂ）に示されるように、識別用の黄色ラベル４１−２ｂが貼付される。そして、差込口４０−２ｂは、接像コード１９−２の片側端部に設けられた黄色のプラグ１９−２ｂを挿入して使用される。
【００１８】
コントローラ１３は、これらの差込口４０−１ａ、４０−１ｂ、４０−２ａ、４０−２ｂを介して、トリートメント部位の筋肉に電気刺激を与えるべく、低周波パルス電圧の供給を行う。
【００１９】
コントローラ１３の正面部１３ｂには、図２（ｂ）に示されるように、液晶パネル４２と、６つの操作ボタンとが、それぞれ設けられている。
【００２０】
電源ボタン４３は、コントローラ１３の電源をＯＮ／ＯＦＦするための操作ボタンである。
【００２１】
モードボタン４４は、動作モードを選択するための操作ボタンである。
本実施例の電気筋肉刺激ベルト１０は、トリートメント部位や体型等に応じて選択可能な１５の動作モードを有する。利用者は、電源ボタン４３を押下して、電源をＯＮにした後、モードボタン４４を押下して、所望の動作モードを選択する。動作モードが選択されると、その識別番号であるモード番号が、液晶パネル４２のモード表示部４２ａに表示される。
【００２２】
本実施例では、モード番号「１」〜「１２」は、脚をトリートメント部位とする「美脚モード」に対応する。各モード番号は、利用者の脚の筋肉量や脂肪量、所望のトリートメント回数等に応じて選択される。また、モード番号「１３」は、腹部及び横腹部をトリートメント部位とする「腹・横腹モード」に対応する。モード番号「１４」は、腰部及び横腹部をトリートメント部位とする「腰・横腹モード」に対応する。更に、モード番号「１５」は、臀部をトリートメント部位とする「ヒップモード」に対応する。
尚、モード番号「１３」〜「１５」に対応するトリートメント部位、すなわち腹部や腰部、臀部等を総称して、ウエストと記すこととする。
【００２３】
ボリューム設定ボタン４５ａ、４５ｂは、ＣＨ１の出力レベル、すなわち差込口４０−１ａ及び４０−１ｂを介する出力の出力レベルを設定するための操作ボタンであり、ボリューム設定ボタン４６ａ、４６ｂは、ＣＨ２の出力レベル、すなわち差込口４０−２ａ及び４０−２ｂを介する出力の出力レベルを設定するための操作ボタンである。本実施例の電気筋肉刺激ベルト１０では、０〜４０段階の出力レベルを設定可能である。ＣＨ１に設定された出力レベルは、液晶パネル４２のレベル表示部４２ｃに表示され、ＣＨ２に設定された出力レベルは、レベル表示部４２ｄに表示される。
【００２４】
液晶パネル４２は、上記したモード表示部４２ａ及びレベル表示部４２ｃ、４２ｄの他に、タイマ表示部４２ｂを有する。タイマ表示部４２ｂには、動作時間の残り時間が表示される。尚、本実施例の電気筋肉刺激ベルト１０では、１回のトリートメント処理に要する動作時間は、１５分に設定されている。
【００２５】
コントローラ１３の側面部１３ｃには、図２（ｃ）に示されるように、接続口４７が設けられている。接続口４７には、図１に示されるように、電源コード４８が接続される。
【００２６】
次に、１５極ベルト１１の構成について、説明する。
１５極ベルト１１は、図１に示されるように、８極ベルト２０及び７極ベルト３０から構成される。
【００２７】
まず、８極ベルト２０の構成について、図１及び図４を用いて説明する。
図４は、８極ベルトの外形を示す図である。
図４（ａ）は、８極ベルト２０の導電部面の構成を示す図であり、図４（ｂ）は、８極ベルト２０の外側面の構成を示す図である。導電部面及び外側面については、後述する。
【００２８】
８極ベルト２０は、利用者の左脚に巻きつけて装着するためのベルトであり、図４（ａ）に示されるように、第１ベルト本体としてのベルト本体２１と、第１電極としての８の導電部２２−１〜８と、第１接続部２３−１及び第２接続部２３−２からなる接続部２３と、通電コード２４とを備えている。
【００２９】
導電部２２−１〜８は、それぞれ導電性ゴムからなり、８極ベルト２０のベルト本体２１において、片側表面の所定位置に縫いつけられて配設されている。これらの導電部２２−１〜８には、それぞれ、図示せぬ通電コードが接続されている。本実施例では、８極ベルト２０のベルト本体２１において、各導電部２２−１〜８が設けられた面を、導電部面２１ａと記すこととし、その裏面を、外側面２１ｂと記すこととする。図１には、８極ベルト２０の導電部面２１ａが示されている。
【００３０】
８の導電部２２−１〜８のうち、４の導電部２２−１〜４は、図１及び図４（ａ）に示されるように、ベルト本体２１の長手方向に略直線状に所定間隔で配列される。ここで、各導電部２２−１〜４は、ベルト本体２１の短手方向において、接続部２３側に配置されている。
【００３１】
８の導電部２２−１〜８のうち、他の４の導電部２２−５〜８は、図１及び図４（ａ）に示されるように、ベルト本体２１の長手方向にジグザグ状に所定間隔で配列される。これら４の導電部２２−５〜８のうち、２の導電部２２−５、２２−７は、ベルト本体２１の短手方向において、中央部付近に配置され、導電部２２−５は導電部２２−２に対応する位置に、導電部２２−７は導電部２２−３に対応する位置に、それぞれ配置される。また、他の２の導電部２２−６、２２−８は、ベルト本体２１の短手方向において、接続部２３と反対側に配置され、導電部２２−６は導電部２２−３に対応する位置に配置される。
【００３２】
また、本実施例では、８の導電部２２−１〜８のうち、６の導電部２２−１〜５及び２２−７は、８極ベルト２０のベルト本体２１と同系色の糸を用いて、該ベルト本体２１の所定位置に縫いつけられるが、導電部２２−６は、識別用の青糸により縫いつけられ、導電部２２−８は、識別用の赤糸により縫いつけられる。
【００３３】
８極ベルト２０のベルト本体２１は、図４（ａ）及び図４（ｂ）に示されるように、その長手方向の片側端部に、二又状に形成された１対の帯片部２１ｃ、２１ｄを有する。上記した８の導電部２２−１〜８は、図４（ａ）に示されるように、ベルト本体２１の長手方向において、接続部２３を間に帯片部２１ｃ、２１ｄとは反対側に配置されている。
【００３４】
各帯片部２１ｃ、２１ｄの先端部には、図４（ａ）に示されるように、ベルト本体２１の導電部面２１ａ側に、ベロクロファスナ２５−１、２５−２がそれぞれ設けられている。更に、各帯片部２１ｃ、２１ｄの導電部面２１ａ側には、補助ベルト２６−１、２６−２がそれぞれ設けられている。これらの補助ベルト２６−１、２６−２の先端部にも、それぞれベロクロファスナ２７−１、２７−２が設けられている。帯片部２１ｃ、２１ｄ及び補助ベルト２６−１、２６−２は、利用者が８極ベルト２０を装着する際に、ベルト本体２１を確実に肌に密着させて固定させるために使用される。
【００３５】
更に、８極ベルト２０のベルト本体２１の外側面２１ｂ側には、図４（ｂ）に示されるように、各帯片部２１ｃ、２１ｄを含まぬ片側端部に、ベロクロファスナ２８が設けられている。このベロクロファスナ２８は、導電部面２１ａに設けられた各ベロクロファスナ２５−１、２５−２、２７−１、２７−２や、後述する７極ベルト３０の導電部面３０ａに設けられた各ベロクロファスナ３５−１、３５−２、３７−１、３７−２と係合する。
【００３６】
８極ベルト２０の外側面２１ｂ側のベロクロファスナ２８上には、更に、係合手段としてのファスナ１４−１が、図４（ｂ）に示されるように、ベルト本体２１の短手方向に縫いつけられて配設される。このファスナ１４−１については、後述する。
【００３７】
次に、７極ベルト３０の構成について、図１及び図５を用いて説明する。
図５は、７極ベルトの外形を示す図である。
図５（ａ）は、７極ベルト３０の導電部面の構成を示す図であり、図５（ｂ）は、７極ベルト３０の外側面の構成を示す図である。
【００３８】
７極ベルト３０は、利用者の右脚に巻きつけて装着するためのベルトであり、図５（ａ）に示されるように、第２ベルト本体としてのベルト本体３１と、第２電極としての７の導電部３２−１〜７と、第１接続部３３−１及び第２接続部３３−２からなる接続部３３と、通電コード３４とを備えている。
【００３９】
導電部３２−１〜７は、それぞれ導電性ゴムからなり、７極ベルト３０のベルト本体３１において、片側表面の所定位置に縫いつけられて配設されている。これらの導電部３２−１〜７には、それぞれ、図示せぬ通電コードが接続されている。本実施例では、７極ベルト３０のベルト本体３１において、各導電部３２−１〜７が設けられた面を、導電部面３１ａと記すこととし、その裏面を、外側面３１ｂと記すこととする。図１には、７極ベルト３０の導電部面３１ａが示されている。
【００４０】
７の導電部３２−１〜７のうち、４の導電部３２−１〜４は、図１及び図５（ａ）に示されるように、ベルト本体３１の長手方向に略直線状に所定間隔で配列される。ここで、各導電部３２−１〜４は、ベルト本体３１の短手方向において、接続部３３側に配置されている。
【００４１】
７の導電部３２−１〜７のうち、他の３の導電部３２−５〜７は、図１及び図５（ａ）に示されるように、ベルト本体３１の長手方向にジグザグ状に所定間隔で配列される。これら３の導電部３２−５〜７のうち、２の導電部３２−５、３２−７は、ベルト本体３１の短手方向において、中央部付近に配置され、導電部３２−５は導電部３２−２に対応する位置に、導電部３２−７は導電部３２−３に対応する位置に、それぞれ配置される。また、他の導電部３２−６は、ベルト本体３１の短手方向において、接続部３３と反対側で、導電部３２−３に対応する位置に配置される。
【００４２】
また、本実施例では、７の導電部３２−１〜７のうち、６の導電部３２−１〜５及び３２−７は、７極ベルト３０のベルト本体３１と同系色の糸を用いて、該ベルト本体３１の所定位置に縫いつけられるが、導電部３２−６は、識別用の青糸により縫いつけられる。
【００４３】
７極ベルト３０のベルト本体３１は、図５（ａ）及び図５（ｂ）に示されるように、その長手方向の片側端部に、二又状に形成された１対の帯片部３１ｃ、３１ｄを有する。上記した７の導電部３２−１〜７は、図５（ａ）に示されるように、ベルト本体３１の長手方向において、接続部３３を間に帯片部３１ｃ、３１ｄとは反対側に配置されている。
【００４４】
各帯片部３１ｃ、３１ｄの先端部には、図５（ａ）に示されるように、ベルト本体３１の導電部面３１ａ側に、ベロクロファスナ３５−１、３５−２がそれぞれ設けられている。更に、各帯片部３１ｃ、３１ｄの導電部面３１ａ側には、補助ベルト３６−１、３６−２がそれぞれ設けられている。これらの補助ベルト３６−１、３６−２の先端部にも、それぞれベロクロファスナ３７−１、３７−２が設けられている。帯片部３１ｃ、３１ｄ及び補助ベルト３６−１、３６−２は、利用者が７極ベルト３０を装着する際に、ベルト本体３１を確実に肌に密着させて固定させるために使用される。
【００４５】
また、７極ベルト３０のベルト本体３１の導電部面３１ａ側には、係合手段としてのファスナ１４−２が、図５（ａ）に示されるように、帯片部３１ｃ、３１ｄと接続部３３との間に、短手方向に縫いつけられて配設される。このファスナ１４−２については、後述する。
【００４６】
更に、７極ベルト３０のベルト本体３１の外側面３１ｂ側には、図５（ｂ）に示されるように、各帯片部３１ｃ、３１ｄを含まぬ片側端部に、ベロクロファスナ３８が設けられている。このベロクロファスナ３８は、導電部面３１ａに設けられた各ベロクロファスナ３５−１、３５−２、３７−１、３７−２や、８極ベルト２０の導電部面２１ａに設けられた各ベロクロファスナ２５−１、２５−２、２７−１、２７−２と係合する。
【００４７】
また、７極ベルト３０の通電コード３４には、識別用のタグ３４ａが添付される。本実施例では、タグ３４ａには、ウエストのトリートメント時に当該通電コード３４に１極パッド１２を接続して使用することを示すメッセージが記載されている。
【００４８】
上記した８極ベルト２０及び７極ベルト３０は、利用者の左脚及び右脚にそれぞれ装着して使用可能であるとともに、図１に示されるように、互いに係合した状態で、１５極ベルト１１としてウエストに装着して使用することも可能である。次に、８極ベルト２０及び７極ベルト３０を係合させて１５極ベルト１１とする場合について、図６を用いて説明する。
図６は、８極ベルト及び７極ベルトの係合例を示す説明図である。
【００４９】
８極ベルト２０及び７極ベルト３０を係合する場合、利用者は、８極ベルト２０の外側面２０ｂに設けられたファスナ１４−１と、７極ベルト３０の導電部面３０ａに設けられたファスナ１４−２との位置を合わせて、８極ベルト２０の外側面２０ａ及び７極ベルト３０の導電部面３０ｂを重ね合わせた後、８極ベルト２０を、ファスナ１４−１の位置で矢印Ａのように折り曲げる（図６（ａ））。
【００５０】
この状態で、利用者は、ファスナ１４−１及びファスナ１４−２を係合させる（図６（ｂ））。８極ベルト２０のファスナ１４−１と７極ベルト３０のファスナ１４−２とは、対になっており、互いに係合することにより、８極ベルト２０及び７極ベルト３０をつなぎ合わせることができる。
【００５１】
ファスナ１４−１及び１４−２を係合させた後、利用者は、折り曲げていた８極ベルト２０を、矢印Ｂのように戻す（図６（ｃ））。このように、８極ベルト２０及び７極ベルト３０は互いに係合して一体のベルト、すなわち１５極ベルト１１を構成することとなる。
【００５２】
上記のように係合された１５極ベルト１１は、図１及び図６（ｃ）に示されるように、第３ベルト本体としてのベルト本体に、１５の導電部、すなわち８極ベルト２０の導電部２２−１〜８及び７極ベルト３０の導電部３２−１〜７を有することとなる。これら１５の導電部２２−１〜８及び３２−１〜７のうち、８の導電部２２−１〜４及び３２−１〜４は、１５極ベルト１１の長手方向に略直線状に配列される。また、７の導電部２２−５〜８及び３２−５〜７は、１５極ベルト１１の長手方向にジグザグ状に所定間隔で配列される。
【００５３】
続いて、８極ベルト２０、７極ベルト３０及び１５極ベルト１１とコントローラ１３との接続について、説明する。
【００５４】
まず、８極ベルト２０の第１接続部２３−１にコントローラ１３を接続する場合について、図７及び図８を用いて説明する。
図７は、８極ベルトの接続例を示す概略構成図であり、図８は、８極ベルトの接続例を示す部分構成図（その１）である。
図８（ａ）は、８極ベルト２０の第１接続部２３−１にコントローラ１３を接続する場合を示し、図８（ｂ）は、８極ベルト２０の接続部２３の部分拡大図である。
【００５５】
８極ベルト２０の接続部２３は、図４（ａ）及び図７に示されるように、第１接続部２３−１及び第２接続部２３−２を有する。本実施例では、第１接続部２３−１は、８極ベルト２０を単独で使用する場合、すなわち８極ベルト２０を左脚に装着して、脚のトリートメントを行う場合に使用される。
【００５６】
第１接続部２３−１は、図８（ａ）及び図８（ｂ）に示されるように、ベルト本体２１の側面方向に、２つの入力用の接続口２３−１ａ、２３−１ｂを備えている。また、第１接続部２３−１には、各接続口２３−１ａ、２３−１ｂの近傍に、識別用の赤色ラベル２３−１ｃ及び黒色ラベル２３−１ｄが、それぞれ貼付される。
【００５７】
８極ベルト２０を左脚に装着して使用する場合、第１接続部２３−１の各接続口２３−１ａ、２３−１ｂには、図７、図８（ａ）及び図８（ｂ）に示されるように、２本の接続コード１８−１、２からなる接続コード１８が接続される。
【００５８】
接続コード１８−１は、両端部にそれぞれプラグ１８−１ａ、１８−１ｂを有する。本実施例では、これらのプラグ１８−１ａ、１８−１ｂは、赤色のプラグである。このうち、プラグ１８−１ｂが、コントローラ１３において、ＣＨ１Ａに対応する差込口４０−１ａに接続される（図３（ａ））。また、この接続コード１８−１の他のプラグ１８−１ａは、第１接続部２３−１の接続口２３−１ａに挿入されて、コントローラ１３に電気的に接続される（図８（ａ）及び図８（ｂ））。
【００５９】
接続コード１８−２は、両端部にそれぞれプラグ１８−２ａ、１８−２ｂを有する。本実施例では、これらのプラグ１８−２ａ、１８−２ｂは、黒色のプラグである。このうち、プラグ１８−２ｂが、コントローラ１３において、ＣＨ１Ｂに対応する差込口４０−１ｂに接続される（図３（ａ））。また、この接続コード１８−２の他のプラグ１８−２ａは、第１接続部２３−１に設けられたもう一つの接続口２３−１ｂに挿入されて、コントローラ１３に電気的に接続される（図８（ａ）及び図８（ｂ））。
【００６０】
第１接続部２３−１には、また、通電コード２４が接続されている。この通電コード２４は、接続口２３−１ｂの出力側に接続され、その端部が、図７及び図８（ａ）に示されるように、１極パッド１２に挿入される。１極パッド１２は、円盤状の導電性ゴムからなり、通電コード２４を介してベルト本体２１及びコントローラ１３に電気的に接続され、第１共通電極として使用される。
【００６１】
第１接続部２３−１の接続口２３−１ａの出力側には、図示せぬ３本の通電コードが接続されている。これらの通電コードは、それぞれ、８極ベルト２０に配設された８の導電部２２−１〜８のうち、３の導電部２２−２、２２−５及び２２−６に接続される。
【００６２】
接続口２３−１ｂの出力側にも、同様に、図示せぬ３本の通電コードが接続されている。このうち２本の通電コードは、それぞれ、８の導電部２２−１〜８のうち、２の導電部２２−４及び２２−７に接続され、他の１本の通電コードは、上記した１極パッド１２に挿入される通電コード２４に接続する。
【００６３】
第１接続部２３の各接続口２３−１ａ、２３−１ｂに接続される５の導電部２２−２、２２−４、２２−５、２２−６及び２２−７は、第１対電極として、第１共通電極としての１極パッド１２と対をなして、ＣＨ１に対応する５チャネルの出力系を構成する。ここで、５の導電部２２−２、２２−４〜７は、図７に示されるように、８極ベルト２０の導電部面２１ａにおいて、円弧に沿って所定間隔で配列される。
【００６４】
続いて、７極ベルト３０の第１接続部３３−１にコントローラ１３を接続する場合について、図１０及び図１１を用いて説明する。
図１０は、７極ベルトの接続例を示す概略構成図であり、図１１は、７極ベルトの接続例を示す部分構成図（その１）である。
図１１（ａ）は、７極ベルト３０の第１接続部３３−１にコントローラ１３を接続する場合を示し、図１１（ｂ）は、７極ベルト３０の接続部３３の部分拡大図である。
【００６５】
７極ベルト３０の接続部３３は、図５（ａ）及び図１０に示されるように、第１接続部３３−１及び第２接続部３３−２を有する。本実施例では、第１接続部３３−１は、７極ベルト３０を単独で使用する場合、すなわち７極ベルト３０を右脚に装着して、脚のトリートメントを行う場合に使用される。
【００６６】
第１接続部３３−１は、図１１（ａ）及び図１１（ｂ）に示されるように、ベルト本体３１の側面方向に、２つの入力用の接続口３３−１ａ、３３−１ｂを備えている。また、第１接続部３３−１には、各接続口３３−１ａ、３３−１ｂの近傍に、識別用の緑色ラベル３３−１ｃ及び黄色ラベル３３−１ｄが、それぞれ貼付される。
【００６７】
７極ベルト３０を右脚に装着して使用する場合、第１接続部３３−１の各接続口３３−１ａ、３３−１ｂには、図１０、図１１（ａ）及び図１１（ｂ）に示されるように、２本の接続コード１９−１、２からなる接続コード１９が接続される。
【００６８】
接続コード１９−１は、両端部にそれぞれプラグ１９−１ａ、１９−１ｂを有する。本実施例では、これらのプラグ１９−１ａ、１９−１ｂは、緑色のプラグである。このうち、プラグ１９−１ｂが、コントローラ１３において、ＣＨ２Ａに対応するアース用の差込口４０−２ａに接続される（図３（ｂ））。また、この接続コード１９−１の他のプラグ１９−１ａは、第１接続部３３−１の接続口３３−１ａに挿入されて、コントローラ１３に電気的に接続される。（図１１（ａ）及び図１１（ｂ））。
【００６９】
接続コード１９−２は、両端部にそれぞれプラグ１９−２ａ、１９−２ｂを有する。本実施例では、これらのプラグ１９−２ａ、１９−２ｂは、黄色のプラグである。このうち、プラグ１９−２ｂが、コントローラ１３において、ＣＨ２Ｂに対応する差込口４０−２ｂに接続される（図３（ｂ））。この接続コード１９−２の他のプラグ１９−２ａは、第１接続部３３−１に設けられたもう一つの接続口３３−１ｂに挿入されて、コントローラ１３に電気的に接続される（図１１（ａ）及び図１１（ｂ））。
【００７０】
第１接続部３３−１には、また、通電コード３４が接続されている。この通電コード３４は、接続口３３−１ｂの出力側に接続され、その端部が、図１０及び図１１（ａ）に示されるように、１極パッド１２に挿入される。１極パッド１２は、通電コード３４を介してベルト本体３１及びコントローラ１３に電気的に接続され、第１共通電極として使用される。
【００７１】
第１接続部３３の接続口３３−１ａの出力側には、図示せぬ３本の通電コードが接続されている。これらの通電コードは、それぞれ、７極ベルト３０に配設された７の導電部３２−１〜７のうち、３の導電部３２−１、３２−５及び３２−６に接続される。
【００７２】
接続口３３−１ｂの出力側にも、同様に、図示せぬ３本の通電コードが接続されている。このうち２本の通電コードは、それぞれ、７の導電部３２−１〜７のうち、２の導電部３２−３及び３２−７に接続され、他の通電コードは、上記した１極パッドに挿入される通電コード２４に接続する。
【００７３】
第１接続部３３の各接続口３３−１ａ、３３−１ｂに接続される５の導電部３２−１、３２−３、３２−５、３２−６及び３２−７は、第２対電極として、第２共通電極としての１極パッド１２と対をなして、ＣＨ２に対応する５チャネルの出力系を構成する。ここで、５の導電部３２−１、３２−３、３２−５〜７は、図１０に示されるように、７極ベルト３０の導電部面３１ａにおいて、円弧に沿って所定間隔で配列される。
【００７４】
次に、８極ベルト２０の第２接続部２３−２にコントローラ１３を接続する場合について、図１及び図９を用いて説明する。
図９は、８極ベルトの接続例を示す部分構成図（その２）である。
図９（ａ）は、８極ベルト２０の第２接続部２３−２にコントローラ１３を接続する場合を示し、図９（ｂ）は、８極ベルト２０の接続部２３の部分拡大図である。
【００７５】
接続部２３の第２接続部２３−２は、本実施例では、８極ベルト２０及び７極ベルト３０を係合して、１５極ベルト１１としてウエストに装着し、ウエスト、すなわち腹部や腰部、臀部等のトリートメントを行う場合に使用される。
【００７６】
第２接続部２３−２は、第１接続部２３−１と同様に、ベルト本体２１の側面方向に、２つの入力用の接続口２３−２ａ、２３−２ｂを備えている（図９（ａ）及び図９（ｂ））。また、第２接続部２３−２には、各接続口２３−２ａ、２３−２ｂの近傍に、識別用の赤色ラベル２３−２ｃ及び黄色ラベル２３−２ｄが、それぞれ貼付される。
【００７７】
１５極ベルト１１をウエストに装着して使用する場合、８極ベルト２０の第２接続部２３−２の各接続口２３−２ａ、２３−２ｂには、図１、図９（ａ）及び図９（ｂ）に示されるように、接続コード１８−１及び接続コード１９−２が接続される。
【００７８】
接続口２３−２ａは、腹部をトリートメント部位とする場合に使用される接続口である。接続口２３−２ａには、接続コード１８−１の赤色のプラグ１８−１ａが挿入されて、コントローラ１３に電気的に接続される（図９（ａ）及び図９（ｂ））。
【００７９】
接続口２３−２ｂは、横腹部をトリートメント部位とする場合に使用される接続口である。接続口２３−２ｂには、接続コード１９−２の黄色のプラグ１９−２ａが挿入されて、コントローラ１３に電気的に接続される（図９（ａ）及び図９（ｂ））。
【００８０】
接続口２３−２ａの出力側には、図示せぬ３本の通電コードが接続されている。これらの通電コードは、それぞれ、８極ベルト２０に配設された８の導電部２２−１〜８のうち、３の導電部２２−４、２２−７及び２２−８に接続される。
【００８１】
接続口２３−２ｂの出力側にも、図示せぬ３本の通電コードが接続されている。これらの通電コードは、それぞれ、８の導電部２２−１〜８のうち、３の導電部２２−１、２２−２及び２２−３に接続される。
【００８２】
更に、７極ベルト３０の第２接続部３３−２にコントローラ１３を接続する場合について、図１及び図１２を用いて説明する。
図１２は、７極ベルトの接続例を示す部分構成図（その２）である。
図１２（ａ）は、７極ベルト３０の第２接続部３３−２にコントローラ１３を接続する場合を示し、図１２（ｂ）は、７極ベルト３０の接続部３３の部分拡大図である。
【００８３】
接続部３３の第２接続部３３−２は、本実施例では、８極ベルト２０及び７極ベルト３０を係合して、１５極ベルト１１としてウエストに装着し、ウエスト、すなわち腹部や腰部、臀部等のトリートメントを行う場合に使用される。
【００８４】
第２接続部３３−２は、第１接続部３３−１と同様に、ベルト本体３１の側面方向に、２つの入力用の接続口３３−２ａ、３３−２ｂを備えている（図１２（ａ）及び図１２（ｂ））。また、第２接続部３３−２には、各接続口３３−２ａ、３３−２ｂの近傍に、識別用の緑色ラベル３３−２ｃ及び黒色ラベル３３−２ｄが、それぞれ貼付される。
【００８５】
１５極ベルト１１をウエストに装着して使用する場合、７極ベルト３０の第２接続部３３−２の各接続口３３−２ａ、３３−２ｂには、図１、図１２（ａ）及び図１２（ｂ）に示されるように、接続コード１９−１及び接続コード１８−２が接続される。
【００８６】
接続口３３−２ａは、横腹部をトリートメント部位とする場合に使用される接続口である。接続口３３−２ａには、接続コード１９−１の緑色のプラグ１９−１ａが挿入され、コントローラ１３に電気的に接続される（図１２（ａ）及び図１２（ｂ））。
【００８７】
接続口３３−２ｂは、腹部をトリートメント部位とする場合に使用される接続口である。
接続口３３−２ｂには、接続コード１８−２の黒色のプラグ１８−２ａが挿入されて、コントローラ１３に電気的に接続される（図１２（ａ）及び図１２（ｂ））。
【００８８】
接続口３３−２ａの出力側には、図示せぬ３本の通電コードが接続されている。これらの通電コードは、それぞれ、７極ベルト３０に配設された７の導電部３２−１〜７のうち、３の導電部３２−２、３２−３及び３２−４に接続される。
【００８９】
接続口３３−２ｂの出力側にも、図示せぬ３本の通電コードが接続されている。このうち２本の通電コードは、それぞれ、７の導電部３２−１〜７のうち、２の導電部３２−１及び３２−５に接続され、他の１本の通電コードは、１極パッド１２に挿入される通電コード３４に接続する。
【００９０】
ここで、８極ベルト２０の接続口２３−２ａに接続される各導電部２２−４、２２−７及び２２−８と、７極ベルト３０の接続口３３−２ｂに接続される各導電部３２−１及び３２−５とは、図１に示されるように、１５極ベルト１１において、円弧に沿って所定間隔で配列される。これらの５の導電部２２−４、２２−７、２２−８、３２−１及び３２−５は、第３対電極として、同じく７極ベルト３０の接続口３３−２ｂに接続される１極パッド１２を第３共通電極として、ＣＨ１に対応する５チャネルの出力系を構成する。
【００９１】
また、８極ベルト２０の接続口２３−２ｂに接続される各導電部２２−１、２２−２及び２２−３と、７極ベルト３０の接続口３３−２ａに接続される各導電部３２−２、３２−３及び３２−４とは、図１に示されるように、１５極ベルト１１の長手方向において、円弧に沿って配列された５つの導電部２２−４、２２−７、２２−８、３２−１及び３２−５を間に、略直線状に配列される。これらの６の導電部２２−１〜３、３２−２〜４のうち、５の導電部２２−１、２２−２、３２−２、３２−３及び３２−４は、第４対電極として、第４共通電極としての導電部２２−３と対をなして、ＣＨ２に対応する５チャネルの出力系を構成する。
【００９２】
次に、コントローラ１３の制御系統について、図１３を用いて説明する。
図１３は、本考案の実施例に係る電気筋肉刺激ベルトのコントローラの機能構成を示すブロック図である。
【００９３】
コントローラ１３は、図１３に示されるように、電源回路４９、スイッチ回路５０、ブザー回路５１、表示パネル部５２、チャネル制御部５３−１、チャネル制御部５３−２及び制御部５４を含んで構成される。
【００９４】
電源回路４９は、電源コード４８（図１）を介して商用交流電源に接続し、各部への電力供給を行う回路である。
【００９５】
スイッチ回路５０は、電源ボタン４３、モードボタン４４及びボリューム設定ボタン４５ａ、４５ｂ、４６ａ、４６ｂの各操作ボタンを含んで構成される。スイッチ回路５０は、各操作ボタンの操作に基づき、対応する信号を生成し、制御部５４に入力する。
【００９６】
ブザー回路５１は、制御部５４の制御に基づき、ブザー音を出力し、動作時間の終了やエラー発生等の報知を行う。
【００９７】
表示パネル部５２は、液晶パネル４２及び図示せぬパネル駆動回路を含み、制御部５４の制御に基づき、選択された動作モードのモード番号や出力レベル、残り時間等の表示を行う。
【００９８】
チャネル制御部５３−１及びチャネル制御部５３−２は、制御部５４の制御に基づき、低周波パルス信号の出力を制御する回路からなる。
【００９９】
チャネル制御部５３−１は、ＣＨ１の出力口である各差込口４０−１ａ、４０−１ｂを介する出力を制御するために、定常パルス信号発生部５５−１、ＥＭＳ信号発生部５６−１及び出力制御部５７−１を備えている。
【０１００】
同様に、チャネル制御部５３−２は、ＣＨ２の出力口である各差込口４０−２ａ、４０−２ｂを介する出力を制御するために、定常パルス信号発生部５５−２、ＥＭＳ信号発生部５６−２及び出力制御部５７−２を備えている。
【０１０１】
チャネル制御部５３−１は、制御部５４の制御に基づき、第１供給部及び第３供給部として、ＣＨ１の出力を制御する。また、チャネル制御部５３−２は、制御部５４の制御に基づき、第２供給部及び第４供給部として、ＣＨ２の出力を制御する。
【０１０２】
定常パルス信号発生部５５−１、５５−２は、定常パルス信号を発生させる回路からなる。
図１４は、定常パルス信号の信号パターンを示す説明図である。
【０１０３】
定常パルス信号は、図１４に示されるように、所定の振幅電圧Ｖｐ及びパルス幅Ｗｐを有するプラス及びマイナス電圧の各パルス信号からなり、パルス周波数ｆｐで出力される。ここで、振幅電圧Ｖｐ、パルス幅Ｗｐ及びパルス周波数ｆｐは、それぞれパラメータであり、各動作モードに応じて設定される。定常パルス信号は、トリートメント部位の筋肉に、後述する回転刺激を与えるために利用される。
【０１０４】
ＥＭＳ信号発生部５６−１、５６−２は、ＥＭＳ信号を発生させる回路からなる。
図１５は、ＥＭＳ信号の信号パターンを示す説明図である。
【０１０５】
ＥＭＳ信号は、図１５に示されるように、パルス幅Ｗｐは一定で、出力電圧Ｖが変調する複数のパルス信号からなる。ＥＭＳ信号発生部５６−１、５６−２は、パルス信号の出力電圧Ｖを０から所定の振幅電圧Ｖｐまで上昇させ、一定時間Ｔｈ維持した後、Ｖｐから０まで下降させる。その後、休止時間Ｔｒをはさんで、次のＥＭＳ信号が出力される。出力電圧Ｖを０からＶｐまで上昇させるために要する時間を、ランプアップ時間Ｔｕとし、Ｖｐから０まで下降させるために要する時間を、ランプダウン時間Ｔｄとすると、各ＥＭＳ信号の通電時間Ｔｏは、Ｔｏ＝Ｔｕ＋Ｔｈ＋Ｔｄとなる。通電時間Ｔｏ及び休止時間Ｔｒは、パラメータであり、各動作モードに応じて設定される。ＥＭＳ信号は、トリートメント部位の筋肉に、後述するサージ刺激を与えるために利用される。
【０１０６】
出力制御部５７−１、５７−２は、後述する５極回転モード及びサージモードからなる２つの出力モードで、５チャネルの出力系を制御する機能を有する。即ち、出力制御部５７−１は、ＣＨ１の差込口４０−１ａ、４０−１ｂを介する出力をそれぞれ制御する。また、出力制御部５７−２は、ＣＨ２の差込口４０−２ａ、４０−２ｂを介する出力をそれぞれ制御する。
【０１０７】
図１６は、５極回転モードの出力パターンを示す説明図である。
５極回転モードは、トリートメント部位の筋肉に回転刺激を与えるために、図１６に示されるように、所定の通電時間Ｔｏ及び休止時間Ｔｒからなる１ブロックの出力を、チャネル毎に順に移行させる出力モードである。各ブロックは、図１４に示される定常パルス信号を複数含む。各ブロックにおいて、定常パルス信号の振幅電圧Ｖｐ及びパルス周波数ｆｐは、それぞれ一定に保たれるが、パルス幅Ｗｐは、所定の時間範囲で変調する。また、各ブロックにおける休止時間Ｔｒ及び通電時間Ｔｏは、それぞれパラメータであり、各動作モードに応じて設定される。
【０１０８】
図１７は、サージモードの出力パターンを示す説明図である。
サージモードは、トリートメント部位の筋肉にサージ刺激を与えるために、図１５に示されるＥＭＳ信号を、図１７に示されるように、１パルス毎にチャネルを移行させて出力する出力モードである。各パルス信号の出力電圧Ｖは、０から振幅電圧Ｖｐの間で変調する。本実施例では、ＥＭＳ信号のパルス周波数ｆｐ、通電時間Ｔｏ及び休止時間Ｔｒは、それぞれパラメータであり、各動作モードに応じて設定される。
【０１０９】
制御部５４は、図１３に示されるように、メモリ５８及びＣＰＵ５９を含んで構成される。
【０１１０】
メモリ５８には、コントローラ１３の各部を制御するための各種プログラムやデータ等が記憶されている。
ＣＰＵ５９は、メモリ５８のプログラムを実行して、各部の制御を行う。
【０１１１】
例えば、メモリ５８には、低周波パルス信号の信号データとして、定常パルス信号データ及びＥＭＳ信号データが記憶されている。定常パルス信号発生部５５−１、５５−２は、この定常パルス信号データに基づいて、図１４に示される信号パターンの定常パルス信号を発生させる。同様に、ＥＭＳ信号発生部５６−１、５６−２は、ＥＭＳ信号データに基づいて、図１５に示される信号パターンのＥＭＳ信号を発生させる。
【０１１２】
また、メモリ５８には、各出力モードに応じて、出力パターンを示すパターンデータが記憶されている。例えば、メモリ５８には、５極回転モードに対応して、図１６に示される出力パターンを示す回転パターンデータが記憶されている。また、メモリ５８には、サージモードに対応して、図１７に示される出力パターンを示すサージパターンデータが記憶されている。
【０１１３】
更に、メモリ５８には、各動作モードに対応して、動作プログラムが記憶されている。これらの動作プログラムにより、５極回転モード及びサージモードの組み合わせデータや、定常パルス信号及びＥＭＳ信号のパラメータ値が、動作モード毎に設定される。本実施例の電気筋肉刺激ベルト１０のコントローラ１３では、メモリ５８には、モード番号「１」〜「１５」の１５の動作モードに対応して、１５の動作プログラムが記憶されている。制御部５４は、選択された動作モードに対応する動作プログラムに基づいて、各ＣＨにおける低周波パルス信号の出力パターン、すなわち出力レベルや出力タイミングを制御する。
【０１１４】
次に、本実施例の電気筋肉刺激ベルト１０の動作について、説明する。
ここでは、まず、動作モード「美脚モード」を選択して、利用者の左脚及び右脚へのトリートメントを実行させる場合を例に、説明を行う。
【０１１５】
「美脚モード」を選択する場合、すなわち利用者の脚のトリートメントを実行する場合、８極ベルト２０及び７極ベルト３０は分離した状態で、それぞれ、左脚及び右脚に装着して使用される。以下、両脚同時にトリートメントを実行する場合について、説明する。
【０１１６】
８極ベルト２０及び７極ベルト３０の装着に先立ち、利用者は、まず、接続コード１８、１９の接続を行う。
【０１１７】
コントローラ１３には、ＣＨ１の差込口４０−１ａ、４０−１ｂに、それぞれ、接続コード１８のプラグ１８−１ｂ、１８−２ｂが接続され、ＣＨ２の差込口４０−２ａ、４０−２ｂに、それぞれ、接続コード１９のプラグ１９−１ｂ、１９−２ｂが接続される（図３（ｃ））。このとき、利用者は、コントローラ１３の側面部１３ａの各差込口４０−１ａ、４０−１ｂ、４０−２ａ及び４０−２ｂの近傍にそれぞれ貼付された識別用のラベル４１−１ａ、４１−１ｂ、４１−２ａ及び４１−２ｂの色と、各プラグ１８−１ｂ、１８−２ｂ、１９−１ｂ及び１９−２ｂの色とが一致するように、それぞれの接続を行う。
【０１１８】
尚、８極ベルト２０のみを使用して、左脚のトリートメントを行う場合、利用者は、ＣＨ１の各差込口４０−１ａ、４０−１ｂへの接続コード１８の接続のみを行えば良い（図３（ａ））。同様に、７極ベルト３０のみを使用して、右脚のトリートメントを行う場合、利用者は、ＣＨ２の各差込口４０−２ａ、４０−２ｂへの接続コード１９の接続のみを行えば良い（図３（ｂ））。
【０１１９】
接続コード１８の他方のプラグ１８−１ａ、１８−２ａは、それぞれ、８極ベルト２０の第１接続部２３−１に設けられた接続口２３−１ａ、２３−１ｂに挿入される（図７）。このとき、利用者は、第１接続部２３−１の各接続口２３−１ａ及び２３−１ｂの近傍にそれぞれ貼付された識別用のラベル２３−１ｃ及び２３−１ｄの色と、各プラグ１８−１ａ及び１８−２ａの色とが一致するように、それぞれの挿入を行う（図８（ａ）及び図８（ｂ））。
【０１２０】
同様に、接続コード１９の他方のプラグ１９−１ａ、１９−２ａは、それぞれ、７極ベルト３０の第１接続部３３−１に設けられた接続口３３−１ａ、３３−１ｂに挿入される（図１０）。このとき、利用者は、第１接続部３３−１の各接続口３３−１ａ及び３３−１ｂの近傍にそれぞれ貼付された識別用のラベル３３−１ｃ及び３３−１ｄの色と、各プラグ１９−１ａ及び１９−２ａの色とが一致するように、それぞれの挿入を行う（図１１（ａ）及び図１１（ｂ））。
【０１２１】
８極ベルト２０の通電コード２４の端部は、図７に示されるように、１極パッド１２に挿入される。更に、７極ベルト３０の通電コード３４の端部は、図１０に示されるように、他の１極パッド１２に挿入される。
【０１２２】
尚、各接続コード１８、１９及び１極パッド１２の接続は、８極ベルト２０及び７極ベルト３０の装着後に行っても良い。
【０１２３】
続いて、利用者は、８極ベルト２０の各導電部２２−１〜８のうち、左脚のトリートメントに使用される導電部、すなわち第１接続部２３の各接続口２３−１ａ、２３−１ｂに接続される５の導電部２２−２、２２−４〜７及び１極パッド１２の皮膚との当接面に、導通用ジェルを塗布する。更に、利用者は、左脚のトリートメント部位の皮膚面にも、同様に、導通用ジェルを塗布する。この導通用ジェルは、トリートメント部位における通電性や、導電部の皮膚面への密着性を高めると共に、皮膚を保護して肌荒れを防ぐ役割を果たす。
【０１２４】
同様に、７極ベルト３０の各導電部３２−１〜７のうち、右脚のトリートメントに使用される導電部、すなわち第１接続部３３の各接続口３３−１ａ、３３−１ｂに接続される５の導電部３２−１、３２−３、３２−５〜７及び１極パッド１２の皮膚との当接面に、導通用ジェルが塗布される。更に、利用者は、右脚のトリートメント部位の皮膚面にも、同様に、導通用ジェルを塗布する。
【０１２５】
そして、利用者は、８極ベルト２０及び７極ベルト３０を、それぞれ、左脚及び右脚に巻きつけて装着する。
ここでは、ふともも前部をトリートメント部位として、まず、７極ベルト３０を右脚に装着する場合を例に、図１８を用いて説明を行う。
図１８は、電気筋肉刺激ベルトの装着例を示す図（その１）である。
【０１２６】
利用者は、まず、７極ベルト３０を、右脚ふとももに巻きつけて装着する。その際、７極ベルト３０は、導電部面３１ａが皮膚に当接するように、外側面３１ｂを外側に装着される。そして、右脚の前部において、補助ベルト３６−１、３６−２のベロクロファスナ３７−１、３７−２（図５（ａ））を、外側面３１ｂのベロクロファスナ３８に仮留めする（図１８（ａ））。
【０１２７】
次に、７極ベルト３０の装着位置の調整を行う。利用者は、識別用の青糸で縫い付けられた導電部３２−６を、トリートメント部位、すなわちふともも前部の中心に配置すべく、７極ベルト３０のベルト本体３１を仮留め状態のまま動かして、位置調整を行う（図１８（ｂ））。
【０１２８】
位置調整が完了すると、利用者は、７極ベルト３０の導電部面３１ａが肌に密着し、トリートメントに使用される各導電部３２−１、３２−３、３２−５〜７が固定されるように、補助ベルト３６−１、３６−２を締め直し、ベロクロファスナ３８に係合させる（図１８（ｃ））。
【０１２９】
次に、利用者は、７極ベルト３０の通電コード３４に接続された１極パッド１２を、７極ベルト２０と右脚ふともも後部の皮膚面との間に、挿し込んで固定させる（図１８（ｃ））。このとき、利用者は、１極パッド１２が、５の導電部３２−１、３２−３、３２−５〜７に対向するふともも後部の皮膚面に当接して固定されるように、１極パッド１２の位置調整を行う。
【０１３０】
そして、利用者は、７極ベルト３０の各帯片部３１ｃ、３１ｄを強く引っ張り、帯片部３１ｃ、３１ｄのベロクロファスナ３５−１、３５−２（図５（ａ））を、ベロクロファスナ３８に係合させて固定する（図１８（ｄ））。このように、トリートメントに使用される５の導電部３２−１、３２−３、３２−５〜７及び１極パッド１２が、トリートメント部位の肌に密着して固定される。
【０１３１】
８極ベルト２０も同様に、利用者の左脚に巻きつけて装着される。
【０１３２】
そして、コントローラ１３の電源ボタン４３が押下され、電源がＯＮされた後、モードボタン４４が押下され、「美脚モード」に対応する各モード番号「１」〜「１２」のうち、何れかのモード番号が選択される。また、利用者は、ボリューム設定ボタン４５ａ、４５ｂ、４６ａ、４６ｂを操作して、所望の出力レベルを選択する。このとき、ＣＨ１に対応するボリューム設定ボタン４５ａ、４５ｂは、８極ベルト２０、すなわち左脚のトリートメントに対応し、ＣＨ２に対応するボリューム設定ボタン４６ａ、４６ｂは、７極ベルト３０、すなわち右脚のトリートメントに対応する。
【０１３３】
スイッチ回路５０は、利用者による各操作ボタンの操作に基づき、対応する信号を生成して出力する。制御部５４は、スイッチ回路５０からの入力信号に基づき、表示パネル部５２による表示を実行させると共に、選択されたモード番号に対応する動作プログラムを実行して、チャネル制御部５３−１及びチャネル制御部５３−２に対して、制御を行う。
【０１３４】
ＣＨ１に対応するチャネル制御部５３−１は、メモリ５８に記憶されている動作プログラムに基づいて、５極回転モード及びサージモードを組み合わせた所定の出力パターンで、定常パルス信号及びＥＭＳ信号を、差込口４０−１ａ及び差込口４０−１ｂを介して出力する。
【０１３５】
この出力に伴い、第１対電極となる８極ベルト２０の５の導電部２２−２、２２−４〜７には、第１共通電極となる１極パッド１２をＧＮＤとして、右回りで順に電位が付与される。すなわち、導電部２２−２、導電部２２−５、導電部２２−６、導電部２２−７及び導電部２２−４を順にｃｈ１〜ｃｈ５として、図１６或いは図１７に示されるように、低周波パルス信号が出力される。チャネル制御部５３−１は、出力先を順に切り替えながら、各導電部２２−２、２２−４〜７に、プラス及びマイナスのパルス電位を交互に付与する。
【０１３６】
同様に、ＣＨ２に対応するチャネル制御部５３−２は、メモリ５８に記憶されている動作プログラムに基づいて、５極回転モード及びサージモードを組み合わせた所定の出力パターンで、定常パルス信号及びＥＭＳ信号を、差込口４０−２ａ及び差込口４０−２ｂを介して出力する。
【０１３７】
この出力に伴い、第２対電極となる７極ベルト３０の５の導電部３２−１、３２−３、３２−５〜７には、第２共通電極となる１極パッド１２をＧＮＤとして、右回りで順に電位が付与される。すなわち、導電部３２−１、導電部３２−５、導電部３２−６、導電部３２−７及び導電部３２−３を順にｃｈ１〜ｃｈ５として、図１６或いは図１７に示されるように、低周波パルス信号が出力される。チャネル制御部５３−２は、出力先を順に切り替えながら、各導電部３２−１、３２−３、３２−５〜７に、プラス及びマイナスのパルス電位を交互に付与する。
【０１３８】
第１対電極としての各導電部２２−２、２２−４〜７にパルス電位が付与されると、第１共通電極としての１極パッド１２との間に、パルス状の電位差、即ちパルス電圧が発生する。また、第２対電極としての各導電部３２−１、３２−３、３２−５〜７にパルス電位が付与されると、第２共通電極としての１極パッド１２との間に、パルス電圧が発生する。例えば、８極ベルト２０の導電部２２−２にプラス電位が付与されると、導電部２２−２及び１極パッド１２間には、パルス電圧が供給される。このパルス電圧に基づき、導電部２２−２から１極パッド１２へ、パルス電流が流れることとなる。同様に、導電部２２−２にマイナス電位が付与されると、導電部２２−２及び１極パッド１２間には、逆極性のパルス電圧が生じ、１極パッド１２から導電部２２−２へ、パルス電流が流れることとなる。
【０１３９】
利用者の左脚ふともも前部に当接するように配置された各導電部２２−２、２２−４〜７と、これらの導電部２２−２、２２−４〜７に対向すべく左脚ふともも後部に配置された１極パッド１２との間に、パルス電流が発生すると、利用者の左脚ふともも前部から後部に向けて、或いは左脚ふともも後部から前部に向けて、低周波パルス電流が流れる。
【０１４０】
同様に、利用者の右脚ふともも前部に当接するように配置された各導電部３２−１、３２−３、３２−５〜７と、これらの導電部３２−１、３２−３、３２−５〜７に対向すべく右脚ふともも後部に配置された１極パッド１２との間に、パルス電流が発生すると、利用者の右脚ふともも前部から後部に向けて、或いは右脚ふともも後部から前部に向けて、低周波パルス電流が流れる。
【０１４１】
このように、８極ベルト２０及び７極ベルト３０を装着した利用者の両脚内部の筋肉に、電気刺激が付与されることとなる。
【０１４２】
１５分間の動作時間が終了すると、チャネル制御部５３−１及びチャネル制御部５３−２は、出力を停止する。そして、制御部５４の制御に基づき、ブザー回路５１がブザー音を出力して、トリートメント処理の終了を利用者に報知する。これにより、８極ベルト２０及び７極ベルト３０は、それぞれのトリートメント処理を終了する。
【０１４３】
上記のように、電気筋肉刺激ベルト１０により、左脚及び右脚にそれぞれ８極ベルト２０及び７極ベルト３０を装着して通電が行われ、両脚の筋肉に同時に電気刺激が付与される。この電気刺激の付与により、両脚の筋肉へのトレーニング効果を効率的に得ることが可能となり、筋肉量の増加や基礎代謝量の増加等の効果が期待される。
【０１４４】
次に、１５極ベルト１１をウエストに装着してトリートメントを実行する場合について、説明する。
ここでは、まず、動作モード「腹・横腹モード」を選択して、利用者の腹部及び横腹部へのトリートメントを実行させる場合を例に、説明を行う。
【０１４５】
利用者は、ベルトの装着に先立ち、まず、８極ベルト２０及び７極ベルト３０を係合する。図６（ａ）〜（ｃ）に示されるように、８極ベルト２０のファスナ１４−１と７極ベルト２０のファスナ１４−２とを係合させて、８極ベルト２０及び７極ベルト３０がつなぎ合わせられ、１５極ベルト１１が形成される。
【０１４６】
続いて、利用者は、接続コード１８、１９の接続を行う。
【０１４７】
コントローラ１３への各接続コード１８、１９の接続は、図３（ｃ）に示される脚のトリートメント時と同じであるので、説明を省略する。
尚、腹部へのトリートメントのみを行う場合は、ＣＨ１の各差込口４０−１ａ、４０−１ｂへの接続コード１８の接続のみを行えば良い（図３（ａ））。同様に、横腹部へのトリートメントのみを行う場合は、ＣＨ２の各差込口４０−２ａ、４０−２ｂへの接続コード１９の接続のみを行えば良い（図３（ｂ））。
【０１４８】
次に、１５極ベルト１１への接続コード１８、１９の接続を行う。
ウエストのトリートメントを行う場合、接続コード１８、１９の接続には、８極ベルト２０の第２接続部２３−２及び７極ベルト３０の第２接続部３３−２が使用される。
【０１４９】
８極ベルト２０の第２接続部２３−２には、接続口２３−２ａに接続コード１８の赤色プラグ１８−１ａが、接続口２３−２ｂに接続コード１９の黄色プラグ１９−２ａが、それぞれ挿入される（図１）。このとき、利用者は、第２接続部２３−２の各接続口２３−２ａ及び２３−２ｂの近傍にそれぞれ貼付された識別用のラベル２３−２ｃ及び２３−２ｄの色と、各プラグ１８−１ａ及び１９−２ａの色とが一致するように、それぞれの挿入を行う（図９（ａ）及び図９（ｂ））。
【０１５０】
同様に、７極ベルト３０の第２接続部３３−２には、接続口３３−２ａに接続コード１９の緑色プラグ１９−１ａが、接続口３３−２ｂに接続コード１８の黒色プラグ１８−２ａが、それぞれ挿入される（図１）。このとき、利用者は、第２接続部３３−２の各接続口３３−２ａ及び３３−２ｂの近傍にそれぞれ貼付された識別用のラベル３３−２ｃ及び３３−２ｄの色と、各プラグ１９−１ａ及び１８−２ａの色とが一致するように、それぞれの挿入を行う（図１２（ａ）及び図１２（ｂ））。
【０１５１】
尚、腹部へのトリートメントのみを行う場合は、ＣＨ１に対応する接続コード１８の接続のみ、すなわち８極ベルト２０の接続口２３−２ａ及び７極ベルト３０の接続口３３−２ｂへの接続のみを行えば良い。同様に、横腹部へのトリートメントのみを行う場合は、ＣＨ２に対応する接続コード１９の接続のみ、すなわち８極ベルト２０の接続口２３−２ｂ及び７極ベルト３０の接続口３３−２ａへの接続のみを行えば良い。
【０１５２】
また、利用者は、１５極ベルト１１への１極パッド１２の接続を行う。利用者は、図１に示されるように、タグ３４ａが添付された７極ベルト３０の通電コード３４に、１極パッド１２を接続する。
尚、横腹部へのトリートメントのみを行う場合は、１極パッド１２の接続は不要である。
【０１５３】
また、各接続コード１８、１９及び１極パッド１２の接続は、１５極ベルト１１の装着後に行っても良い。
【０１５４】
続いて、利用者は、１５極ベルト１１の各導電部２２−１〜８及び３３−１〜７のうち、腹部へのトリートメントに使用される導電部２２−４、２２−７、２２−８、３２−１、３２−５と、横腹部へのトリートメントに使用される導電部２２−１〜３、３２−２〜４とに、導通用ジェルを塗布する。また、１極パッド１２の皮膚との当接面及び利用者のトリートメント部位の皮膚面にも、同様に、導通用ジェルを塗布する。
【０１５５】
そして、利用者は、１５極ベルト１１を、腹部に巻きつけて装着する。
図１９は、電気筋肉刺激ベルトの装着例を示す図（その２）であり、図２０は、電気筋肉刺激ベルトの装着例を示す図（その３）である。
【０１５６】
利用者は、まず、１５極ベルト１１を、腹部に巻きつけて装着する。その際、１５極ベルト１１は、８極ベルト２０の導電部面２１ａ及び７極ベルト３０の導電部面３１ａが皮膚に当接するように、外側面２１ｂ及び３１ｂを外側に装着される。そして、利用者の身体の前において、補助ベルト２６−１、２６−２のベロクロファスナ２７−１、２７−２（図４（ａ））を、７極ベルト３０の外側面３１ｂに設けられたベロクロファスナ３８に仮留めする（図１９（ａ））。
【０１５７】
次に、１５極ベルト１１の装着位置の調整を行う。利用者は、８極ベルト２０に識別用の赤糸で縫いつけられた導電部２２−８を、トリートメント部位、すなわち腹部の中心に配置すべく、１５極ベルト１１のベルト本体を仮留め状態のまま動かして、位置調整を行う（図１９（ｂ）、図２０（ａ））。
【０１５８】
位置調整が完了すると、利用者は、１５極ベルト１１の導電部面２１ａ及び３１ａが肌に密着し、腹部のトリートメントに使用される各導電部２２−４、２２−７〜８、３２−１、３２−５が固定されるように、補助ベルト２６−１、２６−２を締め直し、ベロクロファスナ３８に係合させるとともに、帯片部２１ｃ、２１ｄをベロクロファスナ３８に係合させる（図１９（ｂ））。
【０１５９】
次に、利用者は、通電コード３４に接続された１極パッド１２を、１５極ベルト１１と背中の皮膚面との間に挿し込んで固定させる。これにより、１極パッド１２が、５つの導電部２２−４、２２−７、２２−８、３２−１及び３２−５に対向する背中、すなわち腰部の皮膚面に、当接して固定されることとなる（図２０（ｂ））。
【０１６０】
更に、利用者は、１５極ベルト１１の導電部面２１ａ及び３１ａが腹部及び横腹部の肌に密着し、腹部及び横腹部のトリートメントに使用される各導電部２２−１〜４、２２−７〜８、３２−１〜５及び１極パッド１２が固定されるように、補助ベルト３６−１、３６−２を締めて、８極ベルト２０の外側面２１ｂに設けられたベロクロファスナ２８に係合させる（図１９（ｃ））。
【０１６１】
また、利用者は、７極ベルト３０の各帯片部３１ｃ、３１ｄを強く引っ張り、帯片部３１ｃ、３１ｄのベロクロファスナ３５−１、３５−２（図１９（ｃ））を、ベロクロファスナ２８に係合させて固定する（図１９（ｄ））。このように、トリートメントに使用される各導電部２２−１〜４、２２−７〜８、３２−１〜５と１極パッド１２とが、トリートメント部位の肌に密着して固定される。
【０１６２】
そして、コントローラ１３の電源ボタン４３が押下され、電源がＯＮされた後、モードボタン４４が押下され、「腹・横腹モード」に対応するモード番号「１３」が選択される。また、利用者は、ボリューム設定ボタン４５ａ、４５ｂ、４６ａ、４６ｂを操作して、所望の出力レベルを選択する。ここで、ＣＨ１に対応するボリューム設定ボタン４５ａ、４５ｂは、腹部のトリートメントに対応し、ＣＨ２に対応するボリューム設定ボタン４６ａ、４６ｂは、横腹部のトリートメントに対応する。
【０１６３】
スイッチ回路５０は、利用者による各操作ボタンの操作に基づき、対応する信号を生成して出力する。制御部５４は、スイッチ回路５０からの入力信号に基づき、表示パネル部５２による表示を実行させるとともに、選択されたモード番号「１３」に対応する動作プログラムを実行して、チャネル制御部５３−１及びチャネル制御部５３−２に対して、制御を行う。
【０１６４】
ＣＨ１に対応するチャネル制御部５３−１は、メモリ５８に記憶されている動作プログラムに基づいて、５極回転モード及びサージモードを組み合わせた所定の出力パターンで、定常パルス信号及びＥＭＳ信号を、差込口４０−１ａ及び差込口４０−１ｂを介して出力する。
【０１６５】
この出力に伴い、第３対電極となる８極ベルト２０の３の導電部２２−４、２２−７、２２−８及び７極ベルト３０の２の導電部３２−１、３２−５には、７極ベルト３０の通電コード３４に接続された第３共通電極となる１極パッド１２をＧＮＤとして、右回りで順に電位が付与される。すなわち、導電部２２−４、導電部２２−７、導電部２２−８、導電部３２−５及び導電部３２−１を順にｃｈ１〜ｃｈ５として、図１６或いは図１７に示されるように、低周波パルス信号が出力される。チャネル制御部５３−１は、出力先を順に切り替えながら、各導電部２２−４、２２−７、２２−８、３２−１、３２−５に、プラス及びマイナスのパルス電位を交互に付与する。
【０１６６】
同様に、ＣＨ２に対応するチャネル制御部５３−２は、メモリ５８に記憶されている動作プログラムに基づいて、５極回転モード及びサージモードを組み合わせた所定の出力パターンで、定常パルス信号及びＥＭＳ信号を、差込口４０−２ａ及び差込口４０−２ｂを介して出力する。
【０１６７】
この出力に伴い、第４対電極となる８極ベルト２０の２の導電部２２−１、２２−２及び７極ベルト３０の３の導電部３２−２、３２−３、３２−４には、第４共通電極となる８極ベルト２０の１の導電部２２−３をＧＮＤとして、右回りで順に電位が付与される。すなわち、導電部２２−２、導電部２２−１、導電部３２−４、導電部３２−３及び導電部３２−２を順にｃｈ１〜ｃｈ５として、図１６或いは図１７に示されるように、低周波パルス信号が出力される。チャネル制御部５３−２は、出力先を順に切り替えながら、各導電部２２−１、２２−２、３２−２、３２−３、３２−４に、プラス及びマイナスのパルス電位を交互に付与する。
【０１６８】
第３対電極としての各導電部２２−４、２２−７〜８、３２−１、３２−５にパルス電位が付与されると、第３共通電極としての１極パッド１２との間に、パルス状の電位差、即ちパルス電圧が発生する。このパルス電圧に基づき、各導電部２２−４、２２−７〜８、３２−１、３２−５及び１極パッド１２間に、パルス電流が流れることとなる。
【０１６９】
図２０に示されるように、利用者の腹部に当接するように配置された各導電部２２−４、２２−７〜８、３２−１、３２−５と、これらに対向すべく背中側に配置された１極パッド１２との間に、パルス電流が発生すると、利用者の腹部から背中に向けて、或いは背中から腹部に向けて、低周波パルス電流が流れる。これにより、利用者の身体内部の筋肉に電気刺激が付与されることとなる。
【０１７０】
図２３は、各導電部及び１極パッド間の通電を説明する図である。
８極ベルト２０の導電部２２−４、２２−７、２２−８及び７極ベルト３０の導電部３２−５、３２−１には、上記したように、プラス及びマイナスの電位が交互に付与される。これにより、これらの導電部２２−４、２２−７〜８、３２−１、３２−５が当接する皮膚の表皮層には、図２３に示されるように、プラス或いはマイナスの電位が付与されることとなる。対向する裏側の皮膚面には、１極パッド１２が当接している。この１極パッド１２が、ＧＮＤとして作用し、電位が付与された表皮層との間に、低周波パルス電圧が発生することとなる。これにより、導電部２２−４、２２−７〜８、３２−１、３２−５の当接面の表皮層と、１極パッド１２の当接面との間に、図２３に破線で示されるように、低周波パルス電流が発生する。すなわち、利用者の身体内部に低周波パルス電流が流れ、身体深部の筋肉にまで、電気刺激が付与されることとなる。
【０１７１】
同様に、左右前後の両横腹部に当接するように配置された各導電部２２−１〜２、３２−２〜４と、左の横腹部に当接するように配置された導電部２２−３との間にパルス電流が発生すると、利用者の身体の左側面から右側面に向けて、或いは右側面から左側面に向けて、身体内部を通過する低周波パルス電流が発生する。これにより、利用者の身体深部の筋肉に、ＣＨ１とは異なる方向から、電気刺激が付与されることとなる。
【０１７２】
１５分間の動作時間が終了すると、チャネル制御部５３−１及びチャネル制御部５３−２は出力を停止する。そして、制御部５４の制御に基づき、ブザー回路がブザー音を出力して、トリートメント処理の終了を利用者に報知する。これにより、１５極ベルト１１は、トリートメント処理を終了する。
【０１７３】
上記のように、電気筋肉刺激ベルト１０により、腹部及び背中間と、左右両横腹部間とに、それぞれ通電が行われ、身体内部の筋肉に、複数の方向から電気刺激が付与される。この電気刺激の付与により、体幹部の筋肉へのトレーニング効果が得られ、筋肉量の増加や皮下脂肪の減少、基礎代謝量の増加などの効果が得られる、また、内臓周辺の浮腫や水分量、内臓脂肪の減少が見込まれる。更に、腹部に対して、右回転の回転刺激が付与されることにより、腸の蠕動運動が促され、便秘が解消される等、内臓の活性化が期待される。
【０１７４】
動作モード「腰・横腹モード」を選択して、腰部及び横腹部へのトリートメントを実行させる場合、利用者は、コントローラ１３を操作して、モード番号「１４」を選択する。また、ＣＨ１に対応する５つの導電部２２−４、２２−７、２２−８、３２−１、３２−５が、腰部の皮膚面に当接するように、１５極ベルト１１を装着する。
図２１は、電気筋肉刺激ベルトの装着例を示す図（その４）である。
【０１７５】
１５極ベルト１１は、図２１（ｂ）に示されるように、利用者の腰部に装着される。このとき、ＣＨ２の各導電部２２−１〜３、３２−２〜４は、利用者の正面及び背面の左右両横腹部の皮膚面に当接して、固定される。
【０１７６】
更に、１極パッド１２が、図２１（ａ）に示されるように、１５極ベルト１１と腹部の皮膚面との間に挿し込まれ、臍の上で固定される、これにより、１極パッド１２は、５つの導電部２２−４、２２−７、２２−８、３２−１、３２−５に対向する腹部の皮膚面に、当接して固定されることとなる。
【０１７７】
そして、電気筋肉刺激ベルト１０による出力が開始されると、利用者の腰部及び横腹部の皮膚面に電位が付与され、身体内部に通電が行われる。これにより、腰部及び身体内部の筋肉に、電気刺激が付与され、引き締め等の効果が得られる。
【０１７８】
また、動作モード「ヒップモード」を選択して、臀部及び横腹部のトリートメントを実行させる場合、利用者は、コントローラ１３を操作して、モード番号「１５」を選択する。また、ＣＨ１に対応する５つの導電部２２−４、２２−７、２２−８、３２−１、３２−５が、臀部の皮膚面に当接するように、１５極ベルト１１を装着する。
図２２は、電気筋肉刺激ベルトの装着例を示す図（その５）である。
【０１７９】
１５極ベルト１１は、図２２（ｂ）に示されるように、利用者の臀部に装着される。このとき、利用者は、臀部全体を持ち上げるように、１５極ベルト１１を巻きつけて装着する。また、１極パッド１２は、図２２（ａ）に示されるように、１５極ベルト１１と下腹部の皮膚面との間に挿し込まれ、臍の下で固定される。これにより、１極パッド１２は、５つの導電部２２−４、２２−７、２２−８、３２−１、３２−５に対向する下腹部の皮膚面に、当接して固定されることとなる。
【０１８０】
そして、電気筋肉刺激ベルト１０による出力が開始されると、利用者の臀部及び横腹部の皮膚面に電位が付与され、身体内部に通電が行われる。これにより、臀部及び身体内部の筋肉に、電気刺激が付与され、引き締めやヒップアップ等の効果が得られる。
【０１８１】
以上のように、本実施例の電気筋肉刺激ベルト１０は、係合分離可能な２つのベルト本体、８極ベルト２０及び７極ベルト３０を有し、これらを係合して１５極ベルト１１とすることにより、腹部や腰部、臀部等に装着できるとともに、分離した状態においても、それぞれを脚等に装着できる。また、各ベルトにおいては、複数の導電部２２−１〜８及び３２−１〜７が、ベルト本体の長手方向に配列されるので、身体サイズの異なる様々な利用者及びトリートメント部位に対して、同一のベルトを使用して、トリートメント処理の実施が可能となる。したがって、１組のベルトにより、様々な利用者の身体各部への装着が可能となるともともに、両脚同時に装着してトリートメント処理を実施することも可能となるので、利便性が向上されるとともに、筋肉の効果的なトレーニングが実現可能となる。
また、８極ベルト２０及び７極ベルト３０をそれぞれ二以上に係合分離可能に分割する構成としてもよい。これにより、各分割部を腕等の細い部分に装着し、三以上の分割部を係合して腹部等に装着することが可能となる。
【０１８２】
尚、本実施例では、ＧＮＤとなる第４共通電極として、８極ベルト２０の導電部２２−３が選択され、該導電部２２−３と、第４対電極として選択された各導電部２２−１〜２、３２−２〜４との間に、パルス電圧が付与されたが、本考案はこれに限定されない。例えば、ＧＮＤとして選択する導電部を順に切り替えて、出力を行うことも可能である。これにより、身体内部の筋肉に、より多くの方向から電気刺激を与えることができるので、更なるトリートメント効果を得ることが可能となる。
【符号の説明】
【０１８３】
１０  電気筋肉刺激ベルト
１１  １５極ベルト
１２  １極パッド
１３  コントローラ
１４−１、１４−２  ファスナ
２０  ８極ベルト
２２−１〜８  導電部
３０  ７極ベルト
３２−１〜７  導電部
【図１】
0003183459.tif 000003
【図２】
0003183459.tif 000004
【図３】
0003183459.tif 000005
【図４】
0003183459.tif 000006
【図５】
0003183459.tif 000007
【図６】
0003183459.tif 000008
【図７】
0003183459.tif 000009
【図８】
0003183459.tif 000010
【図９】
0003183459.tif 000011
【図１０】
0003183459.tif 000012
【図１１】
0003183459.tif 000013
【図１２】
0003183459.tif 000014
【図１３】
0003183459.tif 000015
【図１４】
0003183459.tif 000016
【図１５】
0003183459.tif 000017
【図１６】
0003183459.tif 000018
【図１７】
0003183459.tif 000019
【図１８】
0003183459.tif 000020
【図１９】
0003183459.tif 000021
【図２０】
0003183459.tif 000022
【図２１】
0003183459.tif 000023
【図２２】
0003183459.tif 000024
【図２３】
0003183459.tif 000025